(57)【要約】【課題】錠剤等の内容物への悪影響をより確実に防止しつつ、生産コストの抑制を図る。【解決手段】ＰＴＰ包装機１１は、容器フィルム３に形成されたポケット部２に錠剤５を充填する錠剤充填装置２１と、容器フィルム３にカバーフィルム４を取着する加熱ロール２６等と、ＰＴＰフィルム６を打抜いてＰＴＰシート１を得るシート打抜装置３７と、錠剤充填装置２１及び加熱ロール２６等間に設けられ、最終的にＰＴＰシート１となるシート予定部位に対し、錠剤５の良否に係る項目を含む複数の検査項目について良否判定を行うシール前検査装置２２とを備える。シール前検査装置２２及び加熱ロール２６等間に、ポケット部２内の錠剤５を回収可能な回収装置２３が設けられる。回収装置２３は、少なくとも１つの検査項目について不良と判定された場合に、対応するシート予定部位から、錠剤５の良否に係る項目において良品と判定された錠剤５を回収する。【選択図】      図２
2016043970.tif 000002
【特許請求の範囲】
【請求項１】
搬送される容器フィルムに形成されたポケット部に所定の内容物を充填する充填手段と、
当該充填手段の下流側にて、前記容器フィルムに対し、前記ポケット部を塞ぐように帯状のカバーフィルムを取着するシール手段と、
当該シール手段の下流側にて、前記容器フィルムに前記カバーフィルムが取着されてなるＰＴＰフィルムをシート単位に打抜いて所定のＰＴＰシートを得る打抜手段と、
前記充填手段及び前記シール手段間に設けられ、最終的に前記ＰＴＰシートとなるシート予定部位に対し、前記内容物の良否に係る項目を含む複数の検査項目について良否判定を行う検査手段とを備えたＰＴＰ包装機であって、
前記検査手段及び前記シール手段間に、前記ポケット部に充填された前記内容物を回収可能な回収手段を設け、
前記回収手段は、前記検査手段により少なくとも１つの前記検査項目について不良と判定された場合に、対応する前記シート予定部位から、前記検査手段により前記内容物の良否に係る項目において良品と判定された前記内容物を回収するように構成されていることを特徴とするＰＴＰ包装機。
【請求項２】
前記充填手段は、前記内容物の貯留される貯留部を有し、
前記回収手段から前記貯留部に対し、前記内容物を搬送する内容物搬送手段が設けられることを特徴とする請求項１に記載のＰＴＰ包装機。
【請求項３】
前記回収手段は、
前記内容物が通過可能な開口部を有するとともに、前記容器フィルムの搬送に伴い前記開口部の下方を前記ポケット部が通過するように構成された筒部と、
前記筒部内を吸引状態とすることで、前記開口部を通して、前記ポケット部単位で１つずつ前記内容物を前記筒部内に吸引する吸引手段とを有することを特徴とする請求項１又は２に記載のＰＴＰ包装機。
【請求項４】
前記回収手段は、前記ポケット部の通過に合わせて前記開口部を開閉可能な蓋部を有することを特徴とする請求項３に記載のＰＴＰ包装機。
【請求項５】
前記容器フィルムの搬送方向に沿った、前記回収手段による前記内容物の回収位置の前後には、前記ポケット部の開口を塞ぎ、前記ポケット部からの前記内容物の飛出しを防止する飛出防止手段が設けられることを特徴とする請求項１乃至４のいずれか１項に記載のＰＴＰ包装機。
【請求項６】
少なくとも前記充填手段から前記回収手段までの間において、前記容器フィルムは外気よりも低湿雰囲気下で搬送されるように構成されていることを特徴とする請求項１乃至５のいずれか１項に記載のＰＴＰ包装機。
【請求項７】
少なくとも前記充填手段から前記回収手段までの間において、前記容器フィルムは連続搬送されるように構成されていることを特徴とする請求項１乃至６のいずれか１項に記載のＰＴＰ包装機。
【発明の詳細な説明】
【技術分野】
【０００１】
本発明は、ＰＴＰシートを製造するためのＰＴＰ包装機に関するものである。
【背景技術】
【０００２】
ＰＴＰシートは、錠剤等の内容物が充填されるポケット部を有する容器フィルムと、容器フィルムに対しポケット部の開口側を密封するように取着されるカバーフィルムとから構成されている。一般に容器フィルムは透明な樹脂等によって形成され、カバーフィルムはアルミニウム等の金属箔等で形成される。
【０００３】
また、ＰＴＰシートは、搬送される帯状の容器フィルムに対し凹状のポケット部を形成する工程、ポケット部に錠剤等を充填する工程、容器フィルムに対しカバーフィルムを取着する工程、及び、容器フィルム及びカバーフィルムからなる帯状のＰＴＰフィルムをＰＴＰシート単位に打抜く工程等を経て製造される。
【０００４】
さらに、ＰＴＰシートの製造過程においては、容器フィルムの搬送経路に沿って検査手段が設けられる。検査手段では、例えば、錠剤等の割れや欠け、異物の混入、シール良否など、錠剤やシート部分等の外観異常に関する検査が行われる。そして、検査手段により不良判定されたシート予定部位は、シート単位に打抜かれた後に、所定の排出手段により不良品のＰＴＰシートとして排出される（例えば、特許文献１等参照）。
【先行技術文献】
【特許文献】
【０００５】
【特許文献１】特開平８−２１７０２７号公報
【発明の概要】
【発明が解決しようとする課題】
【０００６】
しかしながら、不良品として排出されたＰＴＰシートには、正常な良品の錠剤等が充填されていることがある。このような良品の錠剤等を含むＰＴＰシートをそのまま廃棄してしまうと、良品の錠剤等が無駄となり、生産コストの増大を招いてしまうおそれがある。
【０００７】
そこで、不良品として排出されたＰＴＰシートからカバーフィルムを破いて良品の錠剤等を取出し、取出した錠剤等を再利用することで、生産コストの抑制を図ることが考えられる。
【０００８】
ところが、この場合には、ＰＴＰシートから錠剤等を取出す際に、錠剤等に対し外圧が加わってしまうおそれがある。さらに、回収された錠剤等には、搬送に伴う振動やシール時における熱の影響が及んでいることも懸念される。そのため、回収された錠剤等にダメージが付与されているおそれがある。
【０００９】
本発明は、上記事情に鑑みてなされたものであり、その目的は、錠剤等の内容物に対する悪影響をより確実に防止することができ、かつ、生産コストの抑制を図ることができるＰＴＰ包装機を提供することにある。
【課題を解決するための手段】
【００１０】
以下、上記目的を解決するのに適した各手段につき、項分けして説明する。なお、必要に応じて対応する手段に特有の作用効果を付記する。
【００１１】
手段１．搬送される容器フィルムに形成されたポケット部に所定の内容物を充填する充填手段と、
当該充填手段の下流側にて、前記容器フィルムに対し、前記ポケット部を塞ぐように帯状のカバーフィルムを取着するシール手段と、
当該シール手段の下流側にて、前記容器フィルムに前記カバーフィルムが取着されてなるＰＴＰフィルムをシート単位に打抜いて所定のＰＴＰシートを得る打抜手段と、
前記充填手段及び前記シール手段間に設けられ、最終的に前記ＰＴＰシートとなるシート予定部位に対し、前記内容物の良否に係る項目を含む複数の検査項目について良否判定を行う検査手段とを備えたＰＴＰ包装機であって、
前記検査手段及び前記シール手段間に、前記ポケット部に充填された前記内容物を回収可能な回収手段を設け、
前記回収手段は、前記検査手段により少なくとも１つの前記検査項目について不良と判定された場合に、対応する前記シート予定部位から、前記検査手段により前記内容物の良否に係る項目において良品と判定された前記内容物を回収するように構成されていることを特徴とするＰＴＰ包装機。
【００１２】
上記手段１によれば、容器フィルムに対しカバーフィルムが取着される前に、不良と判定されたシート予定部位から、良品と判定された内容物が回収される。ここで、内容物の回収はカバーフィルムの取着前に行われるため、回収時にカバーフィルムを破いたりする必要はなく、内容物に対する外圧の印加を防止することができる。また、シール手段へと至る前に内容物が回収されるため、搬送に伴う振動が長期間に亘って内容物に加わってしまうことをより確実に防止できる。これらが相俟って、回収される内容物に対しダメージが与えられてしまうことを効果的に防止できる。これにより、回収した内容物に対する再検査等の手間のかかる作業を行うことなく、良好な状態の内容物を再利用することができる。その結果、再利用される内容物における安全性や信頼性をより確実に担保しつつ、生産コストの抑制を効果的に図ることができる。
【００１３】
また、上記手段１によれば、内容物の回収はカバーフィルムの取着前に行われるため、シール手段による熱等の影響が内容物に及ぶことはない。これにより、再利用される内容物における安全性や信頼性を一層確実に担保することができる。
【００１４】
加えて、上記手段１によれば、シール手段へと至る前の比較的早い段階で内容物が回収される。そのため、内容物が吸湿性を有する錠剤等である場合において、内容物の吸湿を抑えることができる。これにより、再利用される内容物における安全性や信頼性をより一層担保することができる。
【００１５】
ところで、ＰＴＰシートにおける安全性や信頼性を向上させるという点では、検査手段による検査感度を高めることが望ましいが、検査感度を高めると、誤って不良と判定されるケースが多くなってしまう。このように不良と判定されるケースが増大してしまうと、従来手法では、非常に多くの良品の内容物が無駄になってしまい、コストが極端に増大してしまうおそれがある。この点、上記手段１によれば、良品と判定された内容物は回収されるため、検査感度を高めたとしても、多くの内容物が無駄になってしまうといった事態は生じない。従って、コスト増を招くことなく、ＰＴＰシートにおける安全性や信頼性の向上を図ることができる。
【００１６】
尚、ＰＴＰ包装機は、不良と判定されたシート予定部位が打抜かれてなる不良品のＰＴＰシートを排出するための排出手段を備えることとしてもよい。
【００１７】
排出手段を備える場合、上記手段１によれば、不良品のＰＴＰシートとして、内容物が全て回収され、ポケット部の全てが空になっているものと、内容物が残っているものとが排出され得る。ここで、全てのポケット部が空になった不良品のＰＴＰシートは、シート予定部位がシート自体の異常又は一部のポケット部に内容物が収容されていないという異常により不良と判定された結果、排出されたものである。また、内容物が残っている不良品のＰＴＰシートは、残っている内容物の異常によりシート予定部位が不良と判定された結果、排出されたものである。従って、排出されたＰＴＰシートの状態を見ることで、どのような原因により不良と判定されたのかを容易に判断することができる。また、内容物が残っている場合には、残った内容物やシート部分を見ることで、生じた異常の特定を容易に行うことができる。その結果、不良の生じた検査項目を容易に特定することができ、適切な措置を早期に実行することができる。
【００１８】
手段２．前記充填手段は、前記内容物の貯留される貯留部を有し、
前記回収手段から前記貯留部に対し、前記内容物を搬送する内容物搬送手段が設けられることを特徴とする手段１に記載のＰＴＰ包装機。
【００１９】
上記手段２によれば、内容物搬送手段によって、充填手段の貯留部に対し、回収された内容物が直接戻される。従って、回収した内容物を貯留部へと戻すための作業が不要となり、生産性を高めることができる。
【００２０】
手段３．前記回収手段は、
前記内容物が通過可能な開口部を有するとともに、前記容器フィルムの搬送に伴い前記開口部の下方を前記ポケット部が通過するように構成された筒部と、
前記筒部内を吸引状態とすることで、前記開口部を通して、前記ポケット部単位で１つずつ前記内容物を前記筒部内に吸引する吸引手段とを有することを特徴とする手段１又は２に記載のＰＴＰ包装機。
【００２１】
上記手段３によれば、吸引により内容物が回収される。従って、回収時において内容物に対しダメージが与えられてしまうことをより確実に防止でき、より良好な状態の内容物を回収することができる。
【００２２】
手段４．前記回収手段は、前記ポケット部の通過に合わせて前記開口部を開閉可能な蓋部を有することを特徴とする手段３に記載のＰＴＰ包装機。
【００２３】
上記手段４によれば、蓋部によって、内容物の回収及び非回収をより確実に、かつ、より迅速に切換えることができる。さらに、ポケット部の通過に合わせて開口部を開閉させるため、前記効果と相俟って、回収対象ではない内容物が誤って回収されてしまうといった事態をより確実に抑制することができる。
【００２４】
手段５．前記容器フィルムの搬送方向に沿った、前記回収手段による前記内容物の回収位置の前後には、前記ポケット部の開口を塞ぎ、前記ポケット部からの前記内容物の飛出しを防止する飛出防止手段が設けられることを特徴とする手段１乃至４のいずれかに記載のＰＴＰ包装機。
【００２５】
上記手段５によれば、飛出防止手段によって、回収位置の前後に位置する内容物の飛出しが防止される。従って、内容物を回収する際に、回収対象ではない内容物が誤って回収されてしまうといった事態をより確実に抑制することができる。
【００２６】
手段６．少なくとも前記充填手段から前記回収手段までの間において、前記容器フィルムは外気よりも低湿雰囲気下で搬送されるように構成されていることを特徴とする手段１乃至５のいずれかに記載のＰＴＰ包装機。
【００２７】
上記手段６によれば、例えば、内容物が吸湿性を有する錠剤等である場合において、内容物の吸湿をより効果的に抑えることができる。そのため、再利用される内容物における安全性や信頼性をより一層確実に担保することができる。
【００２８】
手段７．少なくとも前記充填手段から前記回収手段までの間において、前記容器フィルムは連続搬送されるように構成されていることを特徴とする手段１乃至６のいずれかに記載のＰＴＰ包装機。
【００２９】
上記手段７によれば、充填手段から前記回収手段までの間において、容器フィルムは一時的に停止することなく、連続的に搬送される。従って、容器フィルムの停止に伴う衝撃が内容物に加わってしまうといった事態が生じなくなり、内容物に対するダメージの付与を一層効果的に防止することができる。これにより、より良好な状態の内容物を回収することができ、再利用される内容物における安全性等をさらに高めることができる。
【図面の簡単な説明】
【００３０】
【図１】（ａ）はＰＴＰシートを示す斜視図であり、（ｂ）はＰＴＰフィルムを示す斜視図であり、（ｃ）は、ＰＴＰシートの部分拡大断面図である。
【図２】ＰＴＰ包装機の概略構成を示す模式図である。
【図３】錠剤充填装置、シール前検査装置、及び、回収装置の概略構成を示す模式図である。
【図４】回収装置の斜視図である。
【図５】吸引不能とした状態の回収装置を示す断面模式図である。
【図６】吸引可能とした状態の回収装置を示す断面模式図である。
【図７】検査装置の電気的構成を示すブロック図である。
【図８】第１検査装置に記憶される良否判定に関するデータを説明するための図である。
【図９】第２検査装置に記憶される良否判定に関するデータを説明するための図である。
【図１０】第３検査装置に記憶される良否判定に関するデータを説明するための図である。
【図１１】シート予定部位における通し番号及び錠剤番号を説明するための模式図である。
【図１２】制御装置により把握される良否判定結果を説明するための図である。
【図１３】回収対象決定処理を示すフローチャートである。
【図１４】回収装置制御処理を示すフローチャートである。
【図１５】不良品として排出されるＰＴＰシートの一例を示す平面図である。
【図１６】不良品として排出されるＰＴＰシートの一例を示す平面図である。
【発明を実施するための形態】
【００３１】
以下に、一実施形態について図面を参照しつつ説明する。
【００３２】
まず、ＰＴＰシート１について説明する。図１（ａ）〜（ｃ）に示すように、ＰＴＰシート１は、複数のポケット部２を備えた容器フィルム３と、ポケット部２を塞ぐようにして容器フィルム３に取着されたカバーフィルム４とを有している。
【００３３】
容器フィルム３は、例えば、ＰＰ（ポリプロピレン）やＰＶＣ（ポリ塩化ビニル）等の比較的硬質で所定の剛性を有する透明又は半透明の熱可塑性樹脂材料によって構成されている。カバーフィルム４は、例えばポリエステル樹脂等からなるシーラントが表面に塗布された不透明材料（例えば、アルミニウム箔等）により構成されている。
【００３４】
ＰＴＰシート１は、平面視略矩形状に形成されており、シート長手方向に沿って配列された５個のポケット部２からなるポケット列が、シート短手方向に２列形成されている。つまり、計１０個のポケット部２が形成されている。各ポケット部２には、内容物としての錠剤５が１つずつ収容されている〔図１（ｃ）参照〕。
【００３５】
ＰＴＰシート１は、帯状の容器フィルム３及びカバーフィルム４から形成された帯状のＰＴＰフィルム６〔図１（ｂ）参照〕が打抜かれることで、シート状に製造される。
【００３６】
次に、上記ＰＴＰシート１を製造するためのＰＴＰ包装機１１の概略について図２を参照して説明する。
【００３７】
ＰＴＰ包装機１１の最上流側では、帯状の容器フィルム３の原反がロール状に巻回されている。ロール状に巻回された容器フィルム３の引出し端側は、ガイドロール１３に案内されている。容器フィルム３は、ガイドロール１３の下流側において間欠送りロール１４に掛装されている。間欠送りロール１４は、間欠的に回転するモータに連結されており、容器フィルム３を間欠的に搬送する。
【００３８】
ガイドロール１３と間欠送りロール１４との間には、容器フィルム３の搬送経路に沿って、加熱装置１５及びポケット部形成装置１６が順に配設されている。そして、加熱装置１５によって容器フィルム３が加熱されて該容器フィルム３が比較的柔軟になった状態において、ポケット部形成装置１６によって容器フィルム３の所定位置に複数のポケット部２が成形される。加熱装置１５及びポケット部形成装置１６によって、本実施形態におけるポケット部形成手段が構成される。ポケット部２の形成は、間欠送りロール１４による容器フィルム３の搬送動作間のインターバルの際に行われる。
【００３９】
間欠送りロール１４から送り出された容器フィルム３は、テンションロール１８、ガイドロール１９及びフィルム受けロール２０の順に掛装されている。フィルム受けロール２０は、一定回転するモータに連結されているため、容器フィルム３を連続的に且つ一定速度で搬送する。テンションロール１８は、容器フィルム３を弾性力によって緊張する側へ引っ張った状態とされており、前記間欠送りロール１４とフィルム受けロール２０との搬送動作の相違による容器フィルム３の撓みを防止して容器フィルム３を常時緊張状態に保持する。これにより、容器フィルム３は、テンションロール１８及びフィルム受けロール２０間において、停止することなく連続搬送される。
【００４０】
ガイドロール１９とフィルム受けロール２０との間には、容器フィルム３の搬送経路に沿って、充填手段としての錠剤充填装置２１、検査手段としてのシール前検査装置２２、及び、回収手段としての回収装置２３がこの順序で配設されている。
【００４１】
錠剤充填装置２１は、ポケット部２に錠剤５を自動的に充填する機能を有するものであり、図３に示すように、フィルム受けロール２０による容器フィルム３の搬送動作と同期して回転するドラム２１１を備えている。当該ドラム２１１の外表面には、錠剤５を収容可能な複数の収容凹部２１２が設けられており、当該収容凹部２１２に対し通気孔２１３が連通している。
【００４２】
また、ドラム２１１の上部に近接して錠剤供給シュート２１４が設けられている。錠剤供給シュート２１４の開口に設けられたシャッタ２１５が所定間隔毎に開くことで、錠剤供給シュート２１４から１つずつ錠剤５が落下する。落下した錠剤５は、前記収容凹部２１２へと収容されるとともに、図示しない吸気手段により通気孔２１３内のエアーが吸引されることで、ドラム２１１の外表面に吸着される。ドラム２１１の外表面に吸着された錠剤５は、ドラム２１１の回転により下方へと搬送される。そして、ドラム２１１の下部に錠剤５が到達した時点で、前記エアーの吸引が解除されることにより、ポケット部２へと錠剤５が充填される。
【００４３】
また、錠剤供給シュート２１４の上部には、錠剤５を貯留するための貯留部２１６が設けられており、当該貯留部２１６から錠剤供給シュート２１４へと錠剤５が供給される。
【００４４】
シール前検査装置２２は、上流側より順に、第１検査装置Ｔ１、第２検査装置Ｄ及び第３検査装置Ａを備えている。これら各検査装置Ｔ１，Ｄ，Ａにより、錠剤５や容器フィルム３（シート部分）に関する異常が検査される。各検査装置Ｔ１，Ｄ，Ａのより詳細な構成に関しては後述する。
【００４５】
回収装置２３は、ポケット部２から錠剤５を回収する機能を有する。回収された錠剤５は、回収装置２３と錠剤充填装置２１との間に設けられた錠剤搬送管２４を通って前記貯留部２１６へと搬送される。尚、錠剤搬送管２４は、例えば、比較的軟質の樹脂やゴム等により形成されている。回収装置２３の構成については後に詳述する。
【００４６】
図２に戻り、帯状に形成されたカバーフィルム４の原反は、最上流側においてロール状に巻回されている。
【００４７】
ロール状に巻回されたカバーフィルム４の引出し端は、ガイドロール２５によって加熱ロール２６の方へと案内されている。加熱ロール２６は、前記フィルム受けロール２０に圧接可能となっており、両ロール２０，２６間に容器フィルム３及びカバーフィルム４が送り込まれるようになっている。そして、容器フィルム３及びカバーフィルム４が、両ロール２０，２６間を加熱圧接状態で通過することで、容器フィルム３にカバーフィルム４が貼着され、ポケット部２がカバーフィルム４で塞がれる。これにより、錠剤５が各ポケット部２に充填されたＰＴＰフィルム６が製造されるようになっている。フィルム受けロール２０及び加熱ロール２６により本実施形態におけるシール手段が構成される。
【００４８】
フィルム受けロール２０から送り出されたＰＴＰフィルム６は、テンションロール２７及び間欠送りロール２８の順に掛装されている。間欠送りロール２８は、間欠的に回転するモータに連結されているため、ＰＴＰフィルム６を間欠的に搬送する。テンションロール２７は、ＰＴＰフィルム６を弾性力によって緊張する側へ引っ張った状態とされており、前記フィルム受けロール２０と間欠送りロール２８との搬送動作の相違によるＰＴＰフィルム６の撓みを防止してＰＴＰフィルム６を常時緊張状態に保持する。
【００４９】
間欠送りロール２８から送り出されたＰＴＰフィルム６は、テンションロール３１及び間欠送りロール３２の順に掛装されている。間欠送りロール３２は、間欠的に回転するモータに連結されているため、ＰＴＰフィルム６を間欠的に搬送する。テンションロール３１は、ＰＴＰフィルム６を弾性力によって緊張する側へ引っ張った状態とされており、前記間欠送りロール２８，３２間でのＰＴＰフィルム６の撓みを防止する。
【００５０】
間欠送りロール２８とテンションロール３１との間には、ＰＴＰフィルム６の搬送経路に沿って、スリット形成装置３３及び刻印装置３４が順に配設されている。スリット形成装置３３は、ＰＴＰフィルム６の所定位置に切離用スリットを形成する機能を有する。刻印装置３４は、ＰＴＰフィルム６の所定位置（例えばタグ部）に刻印を付す機能を有する。
【００５１】
間欠送りロール３２から送り出されたＰＴＰフィルム６は、その下流側においてテンションロール３５及び連続送りロール３６の順に掛装されている。間欠送りロール３２とテンションロール３５との間には、ＰＴＰフィルム６の搬送経路に沿って、シート打抜装置３７が配設されている。シート打抜装置３７は、ＰＴＰフィルム６をＰＴＰシート１単位にその外縁を打抜く打抜手段としての機能を有する。
【００５２】
シート打抜装置３７によって打抜かれたＰＴＰシート１は、取出しコンベア３８によって搬送され、完成品用ホッパ３９に一旦貯留される。尚、上記検査装置Ｔ１，Ｄ，Ａのいずれかによって不良判定された場合、後述する制御装置６０から、取出しコンベア３８の搬送経路に沿って設けられた、排出手段としての不良シート排出機構４０に不良品信号が送られる。これにより、不良判定となったＰＴＰシート１は、不良シート排出機構４０によって別途排出され、図示しない不良品ホッパに移送される。
【００５３】
前記連続送りロール３６の下流側には、裁断装置４１が配設されている。そして、シート打抜装置３７による打抜き後に帯状に残った残材部（スクラップ部）を構成する不要フィルム部４２は、前記テンションロール３５及び連続送りロール３６に案内された後、裁断装置４１に導かれる。尚、前記連続送りロール３６は従動ロールが圧接されており、前記不要フィルム部４２を挟持しながら搬送動作を行う。裁断装置４１は、不要フィルム部４２を所定寸法に裁断しスクラップ処理する機能を有する。このスクラップはスクラップ用ホッパ４３に貯留された後、別途廃棄処理される。
【００５４】
尚、上記各ロール１４，１９，２０，２８，３１，３２などは、そのロール表面とポケット部２とが対向する位置関係となっているが、各ロール１４等の表面には、ポケット部２が収容される凹部が形成されているため、基本的には、ポケット部２が潰れてしまうことがない。また、ポケット部２が各ロール１４等の凹部に収容されながら送り動作が行われることで、間欠送り動作や連続送り動作が確実に行われる。
【００５５】
ＰＴＰ包装機１１は、上記各種装置（手段）のほか、制御装置６０を備えている。
【００５６】
制御装置６０は、演算手段としてのＣＰＵや、各種プログラムを記憶するＲＯＭ、演算データや入出力データなどの各種データを一時的に記憶するＲＡＭなどを備えた、いわゆるコンピュータシステムとして構成されている。
【００５７】
制御装置６０は、例えば上記加熱装置１５、ポケット部形成装置１６、錠剤充填装置２１及び回収装置２３などの各種装置の駆動制御や、フィルム受けロール２０などの各種ローラの駆動制御などを司る。また、制御装置６０は、図示しないエンコーダからの信号によって、容器フィルム３やＰＴＰフィルム６の搬送量を特定できるようになっている。
【００５８】
さらに、制御装置６０は、第１検査装置Ｔ１、第２検査装置Ｄ及び第３検査装置Ａとそれぞれ電気的に接続されており、これらに記憶された各種情報（画像データや検査条件、良否判定結果に関する情報など）を受信可能に構成されている。そして、制御装置６０は、検査装置Ｔ１，Ｄ，Ａからの情報に基づき、図１２に示すように、最終的にＰＴＰシート１となるシート予定部位ごとに、所定の錠剤番号Ｊ１〜Ｊ１０（図１１参照）で指し示される各錠剤５及びシート部分に対する、後述する各検査項目Ｘ１〜Ｘ９，Ｙ１，Ｚ１，Ｚ２に関する良否を特定・把握できるようになっている。
【００５９】
尚、本実施形態では、後述するように、各検査装置Ｔ１，Ｄ，Ａにて実行される検査項目の一部が重複しているが、制御装置６０は、重複している検査項目に関しては、少なくとも１つの検査装置Ｔ１，Ｄ，Ａにて不良と判定されていれば、当該検査項目については不良と特定する。例えば、検査項目Ｘ１において、ある錠剤５が、検査装置Ｔ１，Ｄでは良と判定され、検査装置Ａでは不良と判定された場合、制御装置６０は、前記錠剤５は検査項目Ｘ１において不良と特定する。
【００６０】
また、制御装置６０による各種装置の駆動制御は、制御装置６０のＲＯＭ等に事前に設定された設定データ（各種機構の駆動量のデータなど）や各検査装置Ｔ１，Ｄ，Ａから受信した情報、前記エンコーダからの信号等に基づき、制御装置６０がＰＴＰ包装機１１内の各種装置に対し制御信号を出力することにより行われる。本実施形態において、制御装置６０は、シート予定部位の良否結果（図１２参照）に基づき、回収装置２３を制御し、回収装置２３によって、不良と判定されたシート予定部位から良品の錠剤５のみを回収する。尚、錠剤５の回収に関連する制御装置６０の動作については後に詳述する。
【００６１】
次いで、回収装置２３の構成について説明する。
【００６２】
回収装置２３は、図４，５，６（両図では、後述するアクチュエータ２３３Ａを不図示）に示すように、筒部２３１と、吸引手段としての吸引装置２３２と、開閉装置２３３とを備えている。筒部２３１及び開閉装置２３３は、容器フィルム３の搬送方向（図４の矢印方向）と直交する方向に並んで、容器フィルム３の幅方向に沿ったポケット部２の数と同数（本実施形態では、５つ）設けられている。
【００６３】
筒部２３１は、鉛直方向に延びる円筒状をなし、自身の上端部に前記錠剤搬送管２４が直列的に接続されるとともに、自身の下端部に開口部２３１Ａを有している。開口部２３１Ａは、ポケット部２の移動経路の直上方に位置しており、容器フィルム３の搬送時には自身の直下方をポケット部２が通過するようになっている。また、開口部２３１Ａは、１つの錠剤５のみが通過可能な開口面積に設定されている。
【００６４】
吸引装置２３２は、各筒部２３１に接続された送風管２３２Ａと、送風管２３２Ａへと外気よりも低湿のエアーを供給する送風装置（図示せず）とを備えている。送風装置によるエアーの供給によって、各筒部２３１内には上方側に向けた気流が発生し、その結果、筒部２３１内の前記開口部２３１Ａ側が吸引状態となる。これにより、開口部２３１Ａを通して、ポケット部２に収容された錠剤５を１つずつ吸引できるようになっている。
【００６５】
尚、吸引（回収）された錠剤５は、供給エアーで生じた気流により、錠剤搬送管２４を通って、前記貯留部２１６へと搬送される。本実施形態では、錠剤搬送管２４及び前記送風装置により、内容物搬送手段が構成されている。また、送風装置は、吸引装置２３２及び内容物搬送手段に共用されている。
【００６６】
開閉装置２３３は、容器フィルム３の搬送方向に沿って往復移動可能なロッド２３３Ｂを有するアクチュエータ２３３Ａと、前記ロッド２３３Ｂの先端部に固定され、前記開閉部２３１Ａに対応して設けられた蓋部２３３Ｃとを備えている。
【００６７】
アクチュエータ２３３Ａは、制御装置６０と電気的に接続されており、制御装置６０によって、前記ロッド２３３Ｂひいては蓋部２３３Ｃの駆動が制御されるようになっている。また、ロッド２３３Ｂの往復移動量は、ポケット部２の開口径よりも若干大きい程度に設定されている。
【００６８】
蓋部２３３Ｃは、ロッド２３３Ｂの駆動に伴い容器フィルム３の搬送方向に沿って移動することで、前記開口部２３１Ａを閉鎖したり（図５参照）、開放したり（図６参照）することができるようになっている。また、蓋部２３３Ｃは、容器フィルム３の搬送方向に沿って複数（本実施形態では、２つ）のポケット部２に跨るだけの長さを有している。そのため、錠剤５の回収位置（前記開口部２３１Ａ）の直上流に位置するポケット部２の開口は、蓋部２３３Ｃによって、常に（ロッド２３３Ｂの位置に関わらず）塞がれた状態となっている。
【００６９】
さらに、回収装置２３は、容器フィルム３の直近傍に位置し、これと平行に配設された平板部２３４を有している。当該平板部２３４により、錠剤５の回収位置（前記開口部２３１Ａ）の直下流に位置するポケット部２の開口が塞がれている。本実施形態では、蓋部２３３Ｃ及び平板部２３４により、回収位置前後におけるポケット部２からの錠剤５の飛出しを防止する飛出防止手段が構成されている。
【００７０】
次いで、各検査装置Ｔ１，Ｄ，Ａについて説明する。図７に示すように、各検査装置Ｔ１，Ｄ，Ａは、それぞれ照明装置５０、カメラ５１及び処理実行装置５２などを備えている。
【００７１】
照明装置５０は、ポケット部２の開口部側又は突出部側から、容器フィルム３等（特に最終的にＰＴＰシート１となる部位）に対し所定の光（例えば近赤外光や可視光）を照射可能に構成されている。
【００７２】
カメラ５１は、照明装置５０により光の照射された容器フィルム３等を撮像する。本実施形態では、カメラ５１として、照明装置５０から照射される光の波長領域に感度を有するＣＣＤカメラが採用されている。これに限らず、ＣＭＯＳカメラを採用してもよい。尚、第３検査装置Ａなど一部の検査装置のカメラ５１には、色識別可能なようにカラーＣＣＤカメラが採用されている。
【００７３】
そして、カメラ５１によって撮像された画像データ（輝度画像データ又はカラー画像データ）は、カメラ５１内部においてデジタル信号に変換された上で、デジタル信号の形で処理実行装置５２に入力される。
【００７４】
処理実行装置５２は、上記制御装置６０と同様、いわゆるコンピュータシステムとして構成されており、画像処理等の各種処理を実行可能となっている。
【００７５】
処理実行装置５２は、画像メモリ５３、検査結果記憶装置５４、判定用メモリ５５、データメモリ５６、カメラタイミング制御装置５７、及び、ＣＰＵ及び入出力インターフェース５８を備えており、二値化処理や塊処理などの各種画像処理や、不良判定処理（検査処理）等を実施可能となっている。
【００７６】
画像メモリ５３は、カメラ５１から出力される撮像画像の二次元イメージデータ（画像データ）を記憶する。この画像メモリ５３に記憶された画像データに基づいて検査が実行される。勿論、検査の実行に際し、画像データに対し加工処理を施してもよい。例えばマスキング処理や、シェーディング補正などの処理を施すことが考えられる。シェーディング補正は、容器フィルム３等の撮像範囲全体を照明装置５０の光で均一に照らすことは技術的に限界があることから、位置の相違により生じる光の明度のばらつきを補正するためのものである。尚、検査時において画像データに対し二値化処理が行われた二値化画像データや、マスキング処理が行われたマスキング画像データなども、当該画像メモリ５３に記憶される。
【００７７】
検査結果記憶装置５４は、イメージデータに関する座標等のデータ、検査対象に対する良否判定結果のデータ、及び、該データを確率統計的に処理した統計データなどを記憶するものである。また、各検査装置Ｔ１，Ｄ，Ａの検査結果記憶装置５４には、図８，９，１０に示すように、所定の錠剤番号Ｊ１〜Ｊ１０（図１１参照）で指し示される各錠剤５と、シート部分とに対する所定の検査項目Ｘ１〜Ｘ９，Ｙ１，Ｚ１，Ｚ２における良否判定結果を示す情報が、シート予定部位を特定するための通し番号ＬＡ１，ＬＡ２，ＬＡ３・・・（図１１参照）ととも記憶される。錠剤番号は、シート予定部位の各錠剤５に対応して個別に設定される。
【００７８】
尚、検査項目Ｘ１〜Ｘ９は、錠剤５の良否に関する項目である。検査項目Ｙ１は、シート部分（容器フィルム３）の良否に関する項目である。検査項目Ｚ１，Ｚ２は、錠剤５及びシート部分の双方の良否に関する項目である。各検査項目Ｘ１〜Ｘ９，Ｙ１，Ｚ１，Ｚ２については、後に詳述する。
【００７９】
図７に戻り、判定用メモリ５５は、検査に用いられる判定値（閾値等）を記憶するものである。判定値は、検査項目毎に設定される。検査に用いられる判定値には、例えばＰＴＰシート１やポケット部２、錠剤５などの寸法、各種検査領域を画定するための各種ウインドウ枠の形状や寸法、二値化処理に係る閾値、面積判定に係る判定値、色識別検査に係る色基準値などが含まれる。
【００８０】
データメモリ５６は、例えば、ハードディスク装置により構成されている。データメモリ５６には、不良判定の日時、画像データ、検査に用いられた検査条件などが記憶される。
【００８１】
さらに、本実施形態において、データメモリ５６には、錠剤５の二次元的な位置に対するポケット部２の二次元的な位置に関するデータが予め記憶されている。加えて、データメモリ５６には、ポケット部２とＰＴＰシート１との位置関係に関するデータも予め記憶されている。これらデータを用いることで、錠剤５の位置に基づき、容器フィルム３におけるポケット部２の位置、ひいては、容器フィルム３におけるシート予定部位の位置を特定できるようになっている。
【００８２】
カメラタイミング制御装置５７は、カメラ５１の撮像タイミングを制御する。かかる撮像タイミングは前記エンコーダからの信号に基づいて制御され、容器フィルム３を所定量送るごとにカメラ５１による撮像が行われる。
【００８３】
ＣＰＵ及び入出力インターフェース５８は、各検査装置Ｔ１，Ｄ，Ａにおける各種制御を司る。例えば各種処理プログラムを実行するとともに、制御装置６０との間で各種信号を送受信する機能を有する。これによって、制御装置６０が回収装置２３や不良シート排出機構４０などを制御すること等が可能となる。また、ＣＰＵ及び入出力インターフェース５８は、画像データにおけるポケット部２や錠剤５の位置に基づいて、検査対象となるシート予定部位を特定する。そして、特定されたシート予定部位に対し、搬送順序に従った前記通し番号を設定する。シート予定部位の前記通し番号は、搬送方向上流側に向けて１つずつ増大していく態様となっている。
【００８４】
次にそれぞれの検査装置Ｔ１，Ｄ，Ａの構成についてより詳しく説明する。
【００８５】
第１検査装置Ｔ１は、シール前に容器フィルム３のポケット部２突出部側（錠剤５の表面側）から検査を行う透過光式の検査装置である。第１検査装置Ｔ１では、照明装置５０が容器フィルム３のポケット部２開口部側に配置され、カメラ５１が容器フィルム３のポケット部２突出部側に設けられている。そして、照明装置５０から照射される光（近赤外光）のうち、容器フィルム３を透過した光を二次元撮像する構成となっている。
【００８６】
第１検査装置Ｔ１では、検査項目Ｘ１〜Ｘ６に関する検査が行われる。
【００８７】
検査項目Ｘ１は、いわゆる「錠剤割れ」に関する項目であり、この項目では、錠剤５に割れが発生しているか否かが判定される。
【００８８】
検査項目Ｘ２は、いわゆる「錠剤破片混入」に関する項目であり、この項目では、ポケット部２内に、錠剤５の破片など、錠剤５以外の異物が存在するか否かが判定される。
【００８９】
検査項目Ｘ３は、いわゆる「欠錠」に関する項目であり、この項目では、ポケット部２内に錠剤５が充填されているか否かが判定される。
【００９０】
検査項目Ｘ４は、いわゆる「錠剤形状・大きさ違い」に関する項目であり、この項目では、錠剤５の形状や大きさが、製造品種と適合しているか否かが判定される。
【００９１】
検査項目Ｘ５は、いわゆる「錠剤欠け」に関する項目であり、この項目では、錠剤５に欠けが発生しているか否かが判定される。
【００９２】
検査項目Ｘ６は、いわゆる「錠剤表面剥離」に関する項目であり、この項目では、錠剤５の表面層が剥離しているか否かが判定される。
【００９３】
第２検査装置Ｄは、シール前に容器フィルム３のポケット部２開口部側（錠剤５の裏面側）から検査を行う反射光式の検査装置である。第２検査装置Ｄでは、照明装置５０及びカメラ５１が容器フィルム３のポケット部２開口部側に配置されている。そして、照明装置５０から照射される光（近赤外線）のうち、錠剤５に反射した光を二次元撮像する構成となっている。
【００９４】
第２検査装置Ｄでは、前記検査項目Ｘ１〜Ｘ５に加えて、検査項目Ｘ７，Ｘ８に関する検査が行われる。
【００９５】
検査項目Ｘ７は、いわゆる「錠剤上毛髪」に関する項目であり、この項目では、錠剤５上に、毛髪などの線状異物が存在するか否かが判定される。
【００９６】
検査項目Ｘ８は、いわゆる「錠剤上異物」に関する項目であり、この項目では、錠剤５上に、大きさが数ｍｍ（例えば５ｍｍ）以上という大きな異物が存在するか否かが判定される。
【００９７】
第３検査装置Ａは、シール前に容器フィルム３のポケット部２突出部側及び開口部側（錠剤５の表裏面側）から検査を行う透過光式及び反射光式の両機能を備えた検査装置である。第３検査装置Ａでは、照明装置５０が容器フィルム３のポケット部２突出部側及び開口部側の両側に１つずつ配置され、２つのカメラ５１が容器フィルム３のポケット部２開口部側に設けられている。そして、ポケット部２突出部側の照明装置５０から照射される光（可視光）のうち、容器フィルム３を透過した光が一方のカメラ５１により二次元撮像され、ポケット部２開口部側の照明装置５０から照射される光（可視光）のうち、錠剤５に反射した光が他方のカメラ５１（カラーＣＣＤカメラ）により二次元撮像される構成となっている。
【００９８】
第３検査装置Ａでは、前記検査項目Ｘ１〜Ｘ５に加えて、検査項目Ｘ９，Ｙ１，Ｚ１，Ｚ２に関する検査が行われる。
【００９９】
検査項目Ｘ９は、いわゆる「錠剤色」に関する項目であり、この項目では、錠剤５の色が、製造品種と適合しているか否かが判定される。
【０１００】
検査項目Ｙ１は、いわゆる「シート上錠剤粉」に関する項目であり、この項目では、容器フィルム３上に、錠剤粉など大きさが数ｍｍ（例えば５ｍｍ）未満の小さな異物が存在するか否かが判定される。
【０１０１】
検査項目Ｚ１は、いわゆる「シート上毛髪」に関する項目であり、この項目では、容器フィルム３上に、毛髪などの線状異物が存在するか否かが判定される。
【０１０２】
検査項目Ｚ２は、いわゆる「シート上異物」に関する項目であり、この項目では、容器フィルム３上に、大きさが数ｍｍ（例えば５ｍｍ）以上という大きな異物が存在するか否かが判定される。
【０１０３】
次いで、制御装置６０の動作について説明する。まず、回収装置２３によって回収される錠剤５を決定するための回収対象決定処理について説明する。尚、当該処理は、１のシート予定部位に対する各検査装置Ｔ１，Ｄ，Ａの良否判定結果に関する情報の全てが制御装置６０へと入力された段階で行われる。
【０１０４】
図１３に示すように、回収対象決定処理では、まず、ステップＳ１０１において、検査装置Ｔ１，Ｄ，Ａから入力された良否判定結果に関する情報に基づき、各錠剤５及びシート部分における検査項目Ｘ１〜Ｘ９，Ｙ１，Ｚ１，Ｚ２に関する良否を特定する（図１２参照）。
【０１０５】
次いで、ステップＳ１０２において、特定された各錠剤５及びシート部分に対する各検査項目Ｘ１〜Ｘ９，Ｙ１，Ｚ１，Ｚ２についての良否に基づき、シート予定部位の良否を判定する。本実施形態では、各錠剤５及びシート部分において、検査項目Ｘ１〜Ｘ９，Ｙ１，Ｚ１，Ｚ２の少なくとも１つで不良と判定されている場合（Ｓ１０２：ＮＯ）、シート予定部位を不良と判定し、ステップＳ１０３に移行する。一方で、各錠剤５及びシート部分において、全ての検査項目Ｘ１〜Ｘ９，Ｙ１，Ｚ１，Ｚ２で不良判定がない場合（Ｓ１０２：ＹＥＳ）、シート予定部位を良と判定し、本処理を終了する。
【０１０６】
ステップＳ１０３では、不良判定された検査項目が、検査項目Ｚ１又は検査項目Ｚ２であるか否かを判定する。ここで、検査項目Ｚ１又は検査項目Ｚ２にて不良と判定されている場合（Ｓ１０３：ＹＥＳ）、本処理を終了する。つまり、本実施形態では、「シート上毛髪」又は「シート上異物」の検査項目で不良と判定された場合には、不良と判定されたシート予定部位における全ての錠剤５が不良であるとして、シート予定部位からの錠剤５の回収を行わないように設定されている。これは、いずれかの錠剤５に対し、毛髪や異物が接触している可能性を考慮したものである。
【０１０７】
一方で、検査項目Ｚ１，Ｚ２の双方にて不良と判定されていない場合（Ｓ１０３：ＮＯ）、ステップＳ１０４に移行し、特定された良否に関する情報から、回収対象となる錠剤５を決定する。本実施形態では、シート予定部位の各錠剤５のうち、各検査項目Ｘ１〜Ｘ９の全てで良と判定されたものを回収対象として決定する。例えば、仮に錠剤番号Ｊ２で示される錠剤５における不良判定のみを理由として、ステップＳ１０２にて否定判定がなされた場合には、錠剤番号Ｊ２で示される錠剤５以外の錠剤５を回収対象として決定する。また、例えば、シート部分が検査項目Ｙ１に関し不良と判定されたことのみを理由として、ステップＳ１０２にて否定判定された場合には、錠剤５に異常はないため、全ての錠剤５を回収対象として決定する。そして、決定された回収対象に関する情報を、シート予定部位の通し番号とともに前記ＲＡＭに記憶し、本処理を終了する。
【０１０８】
次に、制御装置６０による、回収装置２３の制御処理（回収動作制御処理）について説明する。尚、当該処理は、一定時間（例えば、数ｍｓ）毎に繰り返し実行される。
【０１０９】
図１４に示すように、回収動作制御処理では、まず、ステップＳ２０１において、開放フラグがオンであるか否かを判定する。開放フラグは、前記開口部２３１Ａが開放されているか否かを判定するための判定情報である。ステップＳ２０１にて否定判定された場合、ステップＳ２０５に移行する。一方で、ステップＳ２０１にて肯定判定された場合、すなわち、開口部２３１Ａが開放されている場合には、ステップＳ２０２に移行する。
【０１１０】
ステップＳ２０２では、開放フラグがオンとされてから、容器フィルム３が所定量（本実施形態では、ポケット部２の開口径よりも若干大きい程度の量）だけ搬送されたか否かを判定する。つまり、開口部２３１Ａを閉鎖するタイミングに至ったか否かを判定する。容器フィルム３の搬送量は、前記エンコーダからの出力信号によって把握される。ここで、開口部２３１Ａの閉鎖タイミングに未だ至っていない場合には（Ｓ２０２：ＮＯ）、ステップＳ２０５へと移行する。一方で、開口部２３１Ａの閉鎖タイミングに至っている場合には（Ｓ２０２：ＹＥＳ）、ステップＳ２０３において開放フラグをオフとするとともに、ステップＳ２０４において閉鎖信号を回収装置２３へと出力する。これにより、各筒部２３１の開口部２３１Ａが蓋部２３３Ｃにより閉鎖された状態となる。
【０１１１】
続くステップＳ２０５では、前記ＲＡＭに記憶された回収対象に関する情報と、前記エンコーダからの出力信号とに基づき、回収対象の充填されたポケット部２が回収位置（開口部２３１Ａの下方）へと至ったか否かを判定する。つまり、開口部２３１Ａを開放し、錠剤５を回収するタイミングであるか否かを判定する。ステップＳ２０５で否定判定された場合には、本処理を終了する。
【０１１２】
一方、ステップＳ２０５で肯定判定された場合には、ステップＳ２０６に移行し、開放フラグをオンとする。さらに、続くステップＳ２０７にて、開放信号を回収装置２３へと出力し、本処理を終了する。尚、開放信号には、回収対象に関する情報に基づき設定された、開口部２３１Ａを開放すべき筒部２３１の情報が含まれる。開放信号が入力された回収装置２３は、開放すべき開口部２３１Ａに対応する蓋部２３３Ｃのみを移動させることで、開放すべき開口部２３１Ａのみを開放し、良品と判定された錠剤５を回収する。
【０１１３】
以上詳述したように、本実施形態によれば、不良と判定されたシート予定部位から、良品と判定された錠剤５を回収することができる。例えば、錠剤供給シュート２１４に詰まりが生じ、錠剤５がポケット部２に対し充填されない状態となると、ＰＴＰフィルム６には、錠剤５の充填されていないポケット部２が一列に並んで生じ得る。その結果、いわゆる「欠錠」の発生したＰＴＰシート１が多数生じてしまい、多数の良品の錠剤５が無駄になってしまうおそれがある。本実施形態によれば、このような錠剤供給シュート２１４の詰まりが生じたとしても、不良と判定されたシート予定部位から良品の錠剤５を回収することができる。
【０１１４】
また、錠剤５の回収はカバーフィルム４の取着前に行われるため、回収時にカバーフィルム４を破いたりする必要はなく、錠剤５に対する外圧の印加を防止することができる。さらに、シール手段を構成する前記両ロール２０，２６へと至る前に錠剤５が回収されるため、搬送に伴う振動が長期間に亘って錠剤５に加わってしまうことをより確実に防止できる。これらが相俟って、回収される錠剤５に対しダメージが与えられてしまうことを効果的に防止できる。これにより、回収した錠剤５に対する再検査等の手間のかかる作業を行うことなく、良好な状態の錠剤５を再利用することができる。その結果、再利用される錠剤５における安全性や信頼性をより確実に担保しつつ、生産コストの抑制を効果的に図ることができる。
【０１１５】
さらに、錠剤５の回収はカバーフィルム４の取着前に行われるため、加熱ロール２６による熱の影響が錠剤５に及ぶことはない。これにより、再利用される錠剤５における安全性や信頼性をより確実に担保することができる。
【０１１６】
加えて、両ロール２０，２６へと至る前の比較的早い段階で内容物が回収されるため、錠剤５の吸湿を抑えることができる。これにより、再利用される錠剤５における安全性や信頼性をより一層担保することができる。
【０１１７】
併せて、本実施形態によれば、良品と判定された錠剤５は回収されるため、シール前検査装置２２における検査感度を高めたとしても、多くの錠剤５が無駄になってしまうといった事態は生じない。従って、コストの増大を防止しつつ、検査感度を高め、ＰＴＰシート１における安全性や信頼性の向上を図ることができる。
【０１１８】
また、本実施形態では、不良品のＰＴＰシート１として、図１５に示すように、錠剤５が全て回収され、ポケット部２の全てが空になっているものと、図１６に示すように、錠剤５が残っているものとが排出され得る。ここで、全てのポケット部２が空になった不良品のＰＴＰシート１は、シート予定部位がシート自体の異常又は一部のポケット部２に錠剤５が収容されていないという異常（いわゆる「欠錠」）により不良と判定された結果、排出されたものである。また、錠剤５が残っている不良品のＰＴＰシート１は、残っている錠剤５の異常によりシート予定部位が不良と判定された結果、排出されたものである。従って、排出されたＰＴＰシート１の状態を見ることで、どのような原因により不良と判定されたのかを容易に判断することができる。また、錠剤５が残っている場合には、残った錠剤５やシート部分を見ることで、生じた異常の特定を容易に行うことができる。その結果、不良の生じた検査項目を容易に特定することができ、適切な措置を早期に実行することができる。
【０１１９】
加えて、貯留部２１６に対し回収された錠剤５が直接戻される。従って、回収した錠剤５を貯留部２１６へと戻すための作業が不要となり、生産性を高めることができる。
【０１２０】
また、本実施形態では、吸引により錠剤５が回収されるため、回収時において錠剤５にダメージが与えられてしまうことをより確実に防止できる。これにより、より良好な状態の錠剤５を回収することができる。加えて、吸引のために供給されるエアーは低湿であるため、錠剤５の吸湿をより効果的に抑えることができ、再利用される錠剤５における安全性や信頼性をより高めることができる。
【０１２１】
さらに、蓋部２３３Ｃによって、錠剤５の回収及び非回収をより確実に、かつ、より迅速に切換えることができる。さらに、ポケット部２の通過に合わせて開口部２３１Ａを開閉させるため、前記効果と相俟って、回収対象ではない錠剤５が誤って回収されてしまうといった事態をより確実に抑制することができる。
【０１２２】
加えて、蓋部２３３Ｃ及び平板部２３４によって、回収位置の前後に位置する錠剤５の飛出しを防止することができる。従って、錠剤５を回収する際に、回収対象ではない錠剤５が誤って回収されてしまうといった事態をより確実に抑制することができる。
【０１２３】
さらに、錠剤充填装置２１から回収装置２３までの間において、容器フィルム３は連続的に搬送される。従って、容器フィルム３の停止に伴う衝撃が錠剤５に加わってしまうといった事態が生じなくなり、錠剤５に対するダメージの付与を一層効果的に防止することができる。これにより、より良好な状態の錠剤５を回収することができ、再利用される錠剤５における安全性等を一層高めることができる。
【０１２４】
尚、上記実施形態の記載内容に限定されず、例えば次のように実施してもよい。勿論、以下において例示しない他の応用例、変更例も当然可能である。
【０１２５】
（ａ）錠剤充填装置２１から回収装置２３までの間において、容器フィルム３を外気よりも低湿雰囲気下で搬送することとしてもよい。この場合には、錠剤５の吸湿をより効果的に抑えることができ、再利用される錠剤５における安全性や信頼性をより一層確実に担保することができる。
【０１２６】
尚、低湿雰囲気下とすることは、例えば、錠剤充填装置２１及び回収装置２３間における容器フィルム３の搬送経路を所定のケースで覆うとともに、当該ケース内に外気よりも低湿のガスを供給することにより実現可能である。
【０１２７】
（ｂ）上記実施形態において、回収装置２３は、筒部２３１内へと錠剤５を吸引することにより錠剤５を回収するように構成されているが、回収装置２３の構成はこれに限定されるものではない。従って、例えば、外周面に対し錠剤５を吸着（吸引）可能に構成された、容器フィルム３の搬送に合わせて回転するドラム等を回収装置として用いてもよい。
【０１２８】
（ｃ）上記実施形態において、シート予定部位からの錠剤５の回収及び非回収は、当該シート予定部位自体の良否に基づいて決定されている。これに対し、シート予定部位からの錠剤５の回収及び非回収を、シート予定部位自体の良否と、当該シート予定部位の前後（直上流及び直下流）に位置するシート予定部位の良否とに基づいて決定することとしてもよい。例えば、上記実施形態では、あるシート予定部位から錠剤５を回収するように設定される場合であっても、当該あるシート予定部位の前後に位置するシート予定部位が所定の検査項目（例えば、検査項目Ｚ１，Ｚ２）にて不良と判定された場合、前記あるシート予定部位からの錠剤５の回収を中止することとしてもよい。この場合、錠剤５を回収する際に、隣接する不良判定されたシート予定部位から異物等を吸引してしまうといった事態をより確実に防止できる。これにより、回収された錠剤５における安全性等をより高めることができる。
【０１２９】
（ｄ）上記実施形態では、内容物が錠剤５である場合について具体化しているが、内容物の種別、形状等については特に限定されるものではなく、例えば食品や電子部品等、内容物が錠剤５とは異なるものであってもよい。
【０１３０】
（ｅ）上記実施形態では、容器フィルム３がＰＰやＰＶＣ等の透明又は半透明の熱可塑性樹脂材料により形成され、カバーフィルム４がアルミニウム箔等を基材として形成されているが、各フィルム３，４の材料は、これらに限定されるものではなく、他の材質のものを採用してもよい。
【０１３１】
（ｆ）上記実施形態では、錠剤搬送管２４及び前記送風装置により、内容物搬送手段が構成されているが、内容物搬送手段の構成はこれに限定されるものではない。従って、例えば、内容物搬送手段をコンベアにより構成してもよい。
【０１３２】
（ｇ）上記実施形態では、内容物搬送手段によって、回収された錠剤５が貯留部２１６へと直接戻されるように構成されているが、必ずしも回収された錠剤５を貯留部２１６へと直接戻す必要はない。従って、回収された錠剤５が、これを一時的に保管するための容器へと搬送されるように構成してもよい。
【０１３３】
（ｈ）各検査装置Ｔ１，Ｄ，Ａの構成は、上記実施形態に限定されるものではない。また、上記実施形態における検査項目はあくまでも例示であって、適宜変更可能である。
【０１３４】
（ｉ）上記実施形態では、検査項目Ｚ１又は検査項目Ｚ２において不良と判定された場合、錠剤５を回収しないように構成されているが、このような場合であっても、錠剤５を回収するように構成してもよい。すなわち、各検査項目における良否判定結果と、回収対象として決定される錠剤５との関係を適宜変更してもよい。
【０１３５】
（ｊ）ＰＴＰシート１におけるポケット部２の配列や個数に関しては、上記実施形態（２列、１０個）に何ら限定されるものではなく、例えば３列１２個のポケット部を有するタイプをはじめ、様々な配列、個数からなるＰＴＰシートを採用することができる。
【０１３６】
（ｋ）上記実施形態において、ＰＴＰフィルム６は、その幅方向に沿って１シート分に対応する数のポケット部２が配列された構成となっているが、これに限定されるものではなく、例えば、その幅方向に沿って複数シート分に対応する数のポケット部２が配列された構成であってもよい。
【０１３７】
（ｌ）回収装置２３の構成は上記実施形態に限定されるものではなく、ＰＴＰシート１やＰＴＰフィルム６の構成に合わせて適宜変更してもよい。
【符号の説明】
【０１３８】
１…ＰＴＰシート、２…ポケット部、３…容器フィルム、４…カバーフィルム、５…錠剤（内容物）、６…ＰＴＰフィルム、１１…ＰＴＰ包装機、２０…フィルム受けロール、２１…錠剤充填装置（充填手段）、２２…シール前検査装置（検査手段）、２３…回収装置（回収手段）、２４…錠剤搬送管、２６…加熱ロール、３７…シート打抜装置（打抜手段）、２１６…貯留部、２３１…筒部、２３１Ａ…開口部、２３２…吸引装置（吸引手段）、２３３Ｃ…蓋部、２３４…平板部。
【図１】
2016043970.tif 000003
【図２】
2016043970.tif 000004
【図３】
2016043970.tif 000005
【図４】
2016043970.tif 000006
【図５】
2016043970.tif 000007
【図６】
2016043970.tif 000008
【図７】
2016043970.tif 000009
【図８】
2016043970.tif 000010
【図９】
2016043970.tif 000011
【図１０】
2016043970.tif 000012
【図１１】
2016043970.tif 000013
【図１２】
2016043970.tif 000014
【図１３】
2016043970.tif 000015
【図１４】
2016043970.tif 000016
【図１５】
2016043970.tif 000017
【図１６】
2016043970.tif 000018